(57)【要約】【課題】つむじ付近において自然な頭髪の形状を構築し得るかつらおよびその製造方法の提供。【解決手段】頭部の形状に沿う形状をしたキャップと、該キャップに取り付けられた毛髪とを有し、該キャップには結束部が存在し、結束部はキャップの一部を毛髪を取り付けた側とは反対側に引っ張った状態で固定してなるものである、かつら。このかつらは、キャップの少なくとも一部分では毛髪を渦巻状に取り付け、前記渦巻状に取り付けた毛髪の中心部分を毛髪を取り付けた側とは反対側に引っ張って固定することにより結束部を形成することにより製造される。【選択図】図１
2012117172.tif 000002
【特許請求の範囲】
【請求項１】
頭部の形状に沿う形状をしたキャップと、該キャップに取り付けられた毛髪とを有し、
該キャップには結束部が存在し、
結束部はキャップの一部を毛髪を取り付けた側とは反対側に引っ張った状態で固定してなるものである、
かつら。
【請求項２】
上記結束部の近傍では、該結束部を中心として毛髪が渦巻状にキャップに取り付けられている請求項１記載のかつら。
【請求項３】
頭部の形状に沿う形状をしたキャップに毛髪を取り付けるかつらの製造方法であって、
キャップの少なくとも一部分では毛髪を渦巻状に取り付け、前記渦巻状に取り付けた毛髪の中心部分を毛髪を取り付けた側とは反対側に引っ張って固定することにより結束部を形成する、かつらの製造方法。
【発明の詳細な説明】
【技術分野】
【０００１】
本発明は頭に被って用いるかつらとその製造方法に関する。
【背景技術】
【０００２】
若くみせるために薄毛を隠したり、病気、怪我、手術などのために頭髪が抜けた跡を隠したいという要望があり、各種の増毛法が盛んに行われている。例えば人造毛やそれを束ねたものを頭皮に直接植え込んだり、残っている毛髪の１本１本に別途用意した複数本の人工毛を結び付けたりする増毛法が行われている。これらの増毛法は多大な作業を必要とするため、コスト高であり、メンテナンスも大変である。
【０００３】
上記に代えて、かつら（ウィッグ）を用いるという方法がある。特許文献１では、付け毛を植毛した柔軟なシート部材を頭に被り、シート部材に設けられた髪挟み止め具で残っている自毛に止めるものが開示されている。特許文献２には、頭部に載せる円形の連結用リブに複数本のリブが骨格状に取り付けられ、このリブに多数の毛髪が取り付けられており、連結用リブに設けられたストッパーで自毛に挟着する。このようなかつらであれば、装着に手間が掛かるとしても、大幅な費用低減をはかることができる。このため、この種のかつらは、薄毛を隠すという目的のほかに、所謂お洒落や気分を変えるための装身具としての利用も多くなってきており、それに対応すべく、各種髪型や髪の色のものが作製されている。
【０００４】
図３は従来のかつらを示す。かつら２０が頭部に装着されており、このかつら２０は、頭部に沿う形状をもつキャップ（図示せず）と、キャップに取り付けられた毛髪とを有している。キャップに取り付けられる毛髪の向きを調整することにより、自然な髪型が造形されている。図２における符号２１はつむじを模した造形となるように毛髪が取り付けられている。
【先行技術文献】
【特許文献】
【０００５】
【特許文献１】特開平１０−１９５７０６号公報
【特許文献２】特開２００２−１１５１１５号公報
【発明の開示】
【発明が解決しようとする課題】
【０００６】
かつら着用時の関心として、あたかも自分の毛髪であるが如く、毛髪の自然な流れや全体的な髪型が構築されることが挙げられる。この点において、従来のかつらでは、「つむじ」を自然に構築することが困難であった。つむじは、渦を巻くように毛髪が存在する中心部分である。従来のかつらでは、つむじ付近の毛髪が、自然の頭髪とは異なり、毛髪の立ち上がり（盛り上がり）が不足気味になり、全体的にやや平坦になって自然な髪形の構築の妨げになっている。このことに鑑みて、本発明は、つむじ付近において自然な頭髪の形状を構築し得るかつらおよびその製造方法の提供を課題とする。
【課題を解決するための手段】
【０００７】
本発明者が鋭意検討した結果、以下のような本発明を完成した。
（１）頭部の形状に沿う形状をしたキャップと、該キャップに取り付けられた毛髪とを有し、該キャップには結束部が存在し、結束部はキャップの一部を毛髪を取り付けた側とは反対側に引っ張った状態で固定してなるものである、かつら。
（２）上記結束部の近傍では、該結束部を中心として毛髪が渦巻状にキャップに取り付けられている（１）のかつら。
（３）頭部の形状に沿う形状をしたキャップに毛髪を取り付けるかつらの製造方法であって、キャップの少なくとも一部分では毛髪を渦巻状に取り付け、前記渦巻状に取り付けた毛髪の中心部分を毛髪を取り付けた側とは反対側に引っ張って固定することにより結束部を形成する、かつらの製造方法。
【発明の効果】
【０００８】
本発明によれば、結束部付近において、キャップが毛髪の取り付け方向とは反対側に引っ張られるため、キャップにおける毛髪の取り付け面の法線方向が局所的に約９０°程度にまで変化する。このため、キャップに取り付けられた毛髪が結束部付近では、他の部位の毛髪とは異なり、キャップに対して大きな角度を成すようになる。毛髪はキャップの全体的な形状におおむね沿って取り付けられているところ、結束部の形成のためにキャップの一部が引っ張られるため、引っ張られた部位に取り付けられた毛髪の向きが、キャップの全体的な形状に対して直角に近い角度へと立ち上げられることになる。こうして、結束部付近では、毛髪がやや「立った」状態（盛り上がった状態）に維持される。結束部をつむじの中心として設計することにより、より自然な髪型を構築することができる。
【図面の簡単な説明】
【０００９】
【図１】本発明のかつらを装着している状態の模式図である。
【図２】本発明のかつらの結束部付近の模式断面図である。
【図３】従来のかつらを装着している状態の模式図である。
【発明を実施するための最良の形態】
【００１０】
以下、図面を参照しながら本発明をさらに詳しく説明する。但し、図面は参照のためのものであって、本発明の範囲は図示された態様に限定されるものでは無い。
図１は、本発明のかつらを装着している状態の模式図である。このかつら１０は頭部全体を覆うタイプのものであり、毛髪がつむじ１１を中心に渦を巻くようにキャップ（図示せず）に取り付けられている。図１に示されるように、つむじ１１付近において、毛髪が「立っている」ことが自然な髪型を構築するうえで重要である。
【００１１】
本発明のかつらは、キャップ（図示せず）とキャップに取り付けられた毛髪を有する。キャップは頭部の形状に沿う形状として構成されている。キャップには結束部（図示せず）が存在している。結束部は、キャップの一部を毛髪を取り付けた側とは反対側、すなわち頭部側に引っ張った状態で固定することにより形成される。図１のかつらでは、つむじ１１の下側（頭部側）の図示されていないところに結束部が存在している。
【００１２】
図２は、本発明のかつらの結束部付近の模式断面図である。このかつら１０においては、キャップ１に毛髪３が取り付けられている。つむじ１１の反対側には結束部２が設けられている。毛髪３は柔軟であるから、通常は、キャップ１の形状に沿って所定方向に向いており、多数の毛髪３によって髪型の流れが構築される。結束部２付近においては、毛髪３が取り付けられたキャップ１が頭部側、つまり、毛髪の取り付け方向とは反対側に引っ張られて固定されている。結束部２におけるキャップ１の接面の向きが結束部２の周囲とは急峻に変わり、このため、結束部２を構成するキャップ１に設けられた毛髪３は、キャップ１全体の方向に沿うのではなく、「盛り上がって」生えているように見えるのである。
【００１３】
結束部２の形成方法は特に限定はなく、例えば、キャップ１に毛髪３を取り付けた後に、キャップ１の所望する一部をつまんで毛髪の取り付け方向とは反対側に引っ張り、その後、摘んだ部分を糸などで縫いつけることなどが挙げられる。
【００１４】
結束部２の形状や寸法については特に限定はない。結束部２の大きさとしては、例えば、０．５〜３ｃｍ、好ましくは１〜２．５ｃｍ、より好ましくは１〜２ｃｍである。結束部２の大きさとは、当該結束部２の両端の距離の最大値をいう。上記程度の大きさであれば、毛髪３の立ち上がりが自然な頭髪形状と類似し易い。
【００１５】
結束部２の深さについても特に限定はなく、好ましくは０．２〜１．５ｃｍ、より好ましくは０．３〜１ｃｍである。上記程度の深さであれば、外見からみてつむじ１１のところで、かつらが陥没しているように見えることもなく、また、つむじ１１において毛髪３が自然に盛り上がっているように見える。結束部２の深さとはキャップ１が毛髪３の取り付け方向とは反対側に引っ張られている長さをいう。
【００１６】
本発明のかつらを製造するにあたっては、従来のかつら・ウィッグの製法を適宜援用することができる。
キャップ１は、好ましくは、樹脂材料等により、ヒトの頭部の形状に沿うように形成される。キャップ１は例えばメッシュ状に形成することにより、通気性を上げることができる。キャップ１の材質として柔軟な樹脂材料を用いることにより、キャップ自体のフレキシビリティが向上して、個人差がある種々の人々の頭部形状に対応させることができる。
【００１７】
毛髪３については、天然または人工の材料からなるものを適宜用いることができる。
毛髪３の長さや色などを適宜調節することにより、種々の髪型や印象のかつら、ウィッグをつくることができる。毛髪３をキャップ１へ取り付ける方法については特に限定されず、キャップ１の所望の位置に所望の配列で多数の毛髪３を並べて、ミシン等で縫いつけることにより毛髪３をキャップ１へ取り付けることなどが挙げられる。
【００１８】
毛髪３をキャップ１に取り付ける際に、通常は、「つむじ」の形成を意識して、つむじになるべきところを中心として渦を巻くような方向に毛髪３が取り付けられる。こうしてできたつむじ１１に相当する位置において、上述の結束部２を設けることが特に好ましい。つまり、好ましくは、結束部２の近傍では、結束部２を中心として毛髪３が渦巻状にキャップ１に取り付けられている。ただし、人間のつむじの形状には個性があるように、本発明においても、つむじ１１の周辺、すなわち結束部２の周辺における毛髪３の流れ方向は幾何学的に歪みの全く無い円を描いてもよいし、あるいは、やや歪んでいてもよいし、特定の方向により多くの毛髪３を流すように形成されていてもよい。
【００１９】
キャップ１に毛髪３を取り付けた後に、キャップ１の所望する部分について、毛髪３の取り付け方向とは反対側（裏側）に、上述したように引っ張って、固定することにより結束部２を形成して、これにより本発明のかつら１０が製造される。結束部２を構築するために引っ張ったキャップ１の固定は、かつら１０の用時に結束部２が破壊されずに維持される程度の強度をもっていればよく、例えば、糸で縫いつけたり、接着剤等で固着させることなどが挙げられる。
【００２０】
上述のように、結束部２を構築する部分は、好ましくはつむじ１１を形成する部分である。それ故、製造においては、例えば、キャップ１のうち渦巻状に取り付けた毛髪３の中心に相当する部分を毛髪３が取り付けられた側とは反対側（裏側）に引っ張って固定する。
【００２１】
一つのかつら１０に対して、通常は、一つのつむじが形成される。ただし、かつら１０の機能上あるいはデザイン上の要請から複数のつむじが形成されてもよい。同様に、一つのかつらに対して複数の結束部２が存在していてもよい。
【００２２】
上述のように、好ましくは、かつら１０におけるつむじ１１の位置と結束部２の位置とは対応する。ただし、デザイン上あるいは製造上の理由などから、つむじ１１の場所に結束部２が存在しなくてもよいし、また、つむじ１１以外の場所に結束部２が存在していてもよい。
【００２３】
本発明のかつらは、頭全体を覆うものであってもよいし、例えば、頭の一部のみを覆うものであってもよい。本発明のかつらの用途は、薄毛を隠すためのもの、病気、手術などによる頭部の傷跡を隠すためのもの、あるいは、お洒落や気分転換のために髪型を変える目的のものなど、特に用途を限定するものではない。
【実施例】
【００２４】
図１に示されるようなかつらを製造した。
具体的には、ナイロン製のメッシュで、一般的な成人男性の頭部を覆うことができる大きさ、形状のキャップ１を構成し、頭頂部付近につむじ１１を構築して周囲に自然に毛髪を流すように１５〜２０ｃｍの多数の人工毛髪３をミシンで取り付けた。その後、つむじ１１の裏側（毛髪３が取り付けられていない側）をつまんで引っ張って、糸で縫いつけることにより、１．５ｃｍ×０．５ｃｍ程度の大きさで深さが約０．５ｃｍである結束部２を構築した。
このかつら１０は、図１に示すように、つむじ１１付近において毛髪３が立ち上がって（盛り上がって）おり、かつら全体として、あたかも本物の頭髪であるかのごとく、自然な毛髪の流れが構築された。
【００２５】
（比較例）
実施例と同様であるが、但し、結束部は構築しなかった。
図３は、従来のかつらを装着している状態の模式図である。比較例のかつらは、図３に示されるものと同様に、つむじ２１付近において、毛髪がやや不自然に「寝たような」形状になり、人間の頭髪のつむじとは異なり、「のっぺり」した印象を呈するものであった。
【産業上の利用可能性】
【００２６】
本発明によれば、簡便な手段により、毛髪の流れがより自然であるかつら、ウィッグを得ることができ、これらの利用者、利用希望者にとって大いに役立つものである。
【符号の説明】
【００２７】
１  キャップ
２  結束部
３  毛髪
１０  かつら
１１  つむじ
２０  かつら
２１  つむじ
【図１】
2012117172.tif 000003
【図２】
2012117172.tif 000004
【図３】
2012117172.tif 000005